【事件の表示】
　特願２００２−　１９６７８「画像読取装置および画像読取方法」拒絶査定不服審判事件〔平成１５年　８月　８日出願公開、特開２００３−２２３６３４〕について、次のとおり審決する。
【結　論】
　本件審判の請求は、成り立たない。
【理　由】
１．手続の経緯
　本願は、平成１４年１月２９日の出願であって、平成１９年４月１１日付けで拒絶査定がなされ、これに対し、同年５月１７日に拒絶査定に対する審判請求がなされるとともに、同年５月２５日付けで手続補正がなされたものである。
　
２．平成１９年５月２５日付けの手続補正についての補正却下の決定
［補正却下の決定の結論］
　平成１９年５月２５日付けの手続補正を却下する。
　
［理由］
２−１．補正後の本願発明
　本件補正により、特許請求の範囲の請求項１は下記のとおり補正された。
　
「複数の画素を備えた撮像素子で撮像した画像を画像信号として外部へ出力する画像読取装置であって、前記撮像素子による画像の取込範囲に関する情報を外部から受信する通信部と、前記取込範囲に関する情報を複数記憶する記憶部と、前記通信部で受信した前記取込範囲に関する情報を前記記憶部に書き込む書込み手段と、複数の前記が画素が接続され前記記憶部に格納された一つの取込範囲に関する情報を参照することにより、接続された各画素のうち前記取込範囲に対応する画素からのみ画像信号を出力させる画素選択部と、前記画素から出力された画像信号を外部へ出力する画像出力部と、外部からの切換信号を受信して前記画素選択部が参照する取込範囲に関する情報を前記記憶部に記憶された他の取込範囲に関する情報に切換える切換手段を備えたことを特徴とする画像読取装置。」
　
　上記特許請求の範囲の請求項１の記載において、「複数の前記が画素が接続され……」とあるのは、「複数の前記画素が接続され……」の誤記であることが明らかであるので、本件補正後の特許請求の範囲の請求項１に係る発明（以下、「本願補正発明」という。）は、誤記を訂正した下記のとおりのものと認める。
　
「複数の画素を備えた撮像素子で撮像した画像を画像信号として外部へ出力する画像読取装置であって、前記撮像素子による画像の取込範囲に関する情報を外部から受信する通信部と、前記取込範囲に関する情報を複数記憶する記憶部と、前記通信部で受信した前記取込範囲に関する情報を前記記憶部に書き込む書込み手段と、複数の前記画素が接続され前記記憶部に格納された一つの取込範囲に関する情報を参照することにより、 接続された各画素のうち前記取込範囲に対応する画素からのみ画像信号を出力させる画素選択部と、前記画素から出力された画像信号を外部へ出力する画像出力部と、外部からの切換信号を受信して前記画素選択部が参照する取込範囲に関する情報を前記記憶部に記憶された他の取込範囲に関する情報に切換える切換手段を備えたことを特徴とする画像読取装置。」
　
　請求項１の発明を特定する事項である「画素選択部」は、補正前の「前記記憶部に格納された一つの取込範囲に関する情報を参照して画像信号を出力する画素を選択してこの選択した画素からのみ画像信号を出力させる画素選択部」から、本件補正により「複数の前記画素が接続され前記記憶部に格納された一つの取込範囲に関する情報を参照することにより、接続された各画素のうち前記取込範囲に対応する画素からのみ画像信号を出力させる画素選択部」と限定されたので、本件補正は特許請求の範囲の減縮を目的とするものといえる。
　そこで、本願補正発明が特許出願の際独立して特許を受けることができるものであるか（平成１８年改正前特許法第１７条の２第５項において準用する同法第１２６条第５項の規定に適合するか）について以下に検討する。
　
２−２．引用例
　原査定の拒絶の理由に引用された特開平８−２１４１２８号公報（以下、引用例という。）には、図面とともに以下の記載がなされている。
　
（１）「【０００１】
【産業上の利用分野】本発明は、高速に画像読み取りを行えるようにした画像読み取り装置に関するものである。
【０００２】
【従来の技術】現在ほとんどの電子部品実装装置において、パーツフィーダからピックアップした電子部品を、基板やリードフレームなどの対象物に実装する前に画像読み取り装置を用いて観察し、理想位置に対する位置ずれなどを画像処理部で求め、この位置ずれを補正して対象物に実装している。」
　
（２）「【００１６】次に図３を参照しながら、本実施例の電子部品実装装置について説明する。図３中、Ａはクロック４２が発生するクロック信号を参照してシフトゲート４に転送を許可する転送指令信号を出力してから現在までの経過した時間と、制御手段Ｃから与えられた主走査方向可変設定値が示す時間とを比較し、この時間が経過した際、次の転送指令信号をシフトゲート４に出力する主走査方向処理部である。即ち、この主走査方向処理部Ａは、１次元ＣＣＤカメラ３１のシフトゲート４へ出力する転送指令信号の出力間隔を制御するものであり、本発明の転送指令出力手段に対応するものである。
【００１７】次に主走査方向処理部Ａの内容について説明する。４２はコントローラ４１から主走査方向可変設定値がセットされるシフトトリガカウンタプリセッタ、４４はコンパレータ４３が出力する転送指令信号によりリセットされると共に、クロック信号をアップカウントしてコンパレータ４３に主走査方向現在値を出力するシフトトリガカウンタ、４３はシフトトリガカウンタプリセッタ４２が示す主走査方向可変基準値に、シフトトリガカウンタ４４が示す主走査方向現在値が達したかどうか比較をし、達したらシフトゲート４に転送指令信号を出力してシフトゲート４を開くコンパレータである。転送指令信号は、副走査方向処理部Ｂの画面トリガカウンタ４７にも同時に出力される。」
　
（３）「【００２０】Ｃは電子部品実装装置全体を制御する制御手段であって、上述したように電子部品１５の移動をコントロールするために、駆動回路Ｄ２３，Ｄ２８を制御する他、主走査方向処理部Ａに現在ノズル３４に吸着されている電子部品１５のサイズに応じて、主走査方向の有効な視野の長さに相当する主走査方向可変設定値を与えると共に、これにあわせて駆動回路Ｄ５３に、遮光板５０の先端位置を示す指示を出力し、感光素子アレイ２のうち遮ぐべき感光素子数をコントロールする。また制御手段Ｃは、電子部品１５を吸着した吸着ヘッド２０が認識ボックス３０の上方に接近してその移動速度が高速移動から一定低速移動へ切替わった際に副走査方向処理部Ｂへスタート信号を出力する。なお、画像処理部４８は、読み取り完了信号を入力すると、読み取った画像信号を処理して処理結果を制御手段Ｃへ出力するものであるが、この画像処理部４８の処理内容は、電子部品１５の有無検出、位置ずれ量検出など、任意に選択することができる。なお読み取り完了信号は制御手段Ｃにも出力され、制御手段Ｃは読み取り完了信号を入力すると、駆動回路Ｄ２３に命じて装着ヘッド移動用モータ２３を一定低速移動状態から高速移動状態へ切替える。」
　
（４）「【００２１】次に制御手段Ｃの内容を説明する。４０はノズル３４に吸着させる電子部品１５の品種、そのサイズ及びそのサイズにあわせて適切に設定された主走査方向可変設定値、副走査方向可変設定値などを記憶するメモリからなる記憶部、４１は記憶部４０のデータを参照して入出力を行うコントローラである。
【００２２】第１の実施例の画像読み取り装置６０を備えた電子部品実装装置は上記のような構成よりなり、次にその動作を図４を参照しながら説明する。この動作では大サイズ電子部品ＰＬ、中サイズ電子部品ＰＭ、小サイズ電子部品ＰＳを順に基板１１に実装するものとする。ここで、感光素子アレイ２の主走査方向の長さをＷＯとする。このような場合、各電子部品ＰＬ，ＰＭ，ＰＳのサイズは既値データであり、次のように有効な視野（図４の鎖線で示す矩形領域が有効な視野であり、主走査方向可変設定値、副走査方向可変設定値により一意に決定される）が設定される。 即ち、 各電子部品
ＰＬ，ＰＭ，ＰＳのサイズよりも主走査方向にやや長い主走査方向設定値
（長さＷＬ，ＷＭ，ＷＳを感光素子数で表示した値）と、副走査方向にやや長い副走査方向設定値（長さＹＬ，ＹＭ，ＹＳを感光素子アレイ２のライン数で表示した値）を決定する。このようにすれば、各矩形領域の形状を特定できる。」
　
（５）「【００２５】……第１の実施例では、図３におけるコントローラ４１からシフトトリガプリセッタ４２に与える主走査方向可変設定値を最大ＷＯ、最小０の範囲で変化させることにより、シフトゲート４を開くタイミング（即ちコンパレータ４３からシフトゲート４に与えられる転送指令信号のタイミング）を変えている。
【００２６】図１１は本発明の第１の実施例の画像読み取り装置における電子部品のサイズと読み取り時間の関係を示すグラフである。図１１に示すように、本発明の第１、第２のいずれの実施例においても、主走査方向及び副走査方向の両方について電子部品のサイズが小さくなれば可変設定値を小さくして有効な視野を狭くしている。即ち、電子部品のサイズが小さくなる
と、その二乗分だけ有効な視野が狭くなる。このため、図１１に示すよう
に、実際的な読取時間を飛躍的に短縮することができる。」
　
　したがって、引用例には次の発明（以下、「引用発明」という。）が記載されているといえる。
　
「１次元ＣＣＤカメラ３１で読み取った画像信号を処理して処理結果を制御手段Ｃへ出力する画像読み取り装置であって、
　主走査方向の有効な視野の長さに相当する主走査方向可変設定値が、制御手段Ｃの主走査方向可変設定値を記憶するメモリからなる記憶部４０からコントローラ４１によりセットされるシフトトリガカウンタプリセッタ４２、
　読み取った画像信号を処理して処理結果を制御手段Ｃへ出力する画像処理部４８、
を備え、遮光板５０で遮ぐべき感光素子数をコントロールし、主走査方向可変設定値に基づいた転送指令信号により有効な視野を決定することを特徴とする画像読み取り装置。」
　
２−３．対比
　引用発明の「１次元ＣＣＤカメラ３１」は複数の画素を備えた撮像素子といえるので、引用発明と本願補正発明とは、複数の画素を備えた撮像素子で撮像する画像読取装置である点で共通する。
　引用発明の「主走査方向の有効な視野の長さに相当する主走査方向可変設定値」は、有効な視野が撮像素子である「１次元ＣＣＤカメラ３１」による画像の取込範囲といえることから、本願補正発明の「撮像素子による画像の取込範囲に関する情報」に対応するものといえ、それがセットされる「シフトトリガカウンタプリセッタ４２」は、取込範囲に関する情報を記憶する機能の点で本願補正発明の「記憶部」と共通する。
　本願補正発明の実施の形態は、明細書の発明の詳細な説明に
「　　【００２０】
　【発明の実施の形態】
　（実施の形態１）
　図１は本発明の実施の形態１の電子部品実装装置の斜視図、……」
と記載されているように電子部品実装装置であり、
「【００５４】したがってデータ記憶部２６および設備制御部２５は、取込範囲に関する情報を撮像部１９に提供する取込範囲情報提供手段となっており、……」
とも記載されており、データ記憶部２６及び設備制御部２５は図２等に記載されているように全体制御装置２０を構成するものであり、それを「外部」というのであれば、引用例に記載された引用発明の実施例も本願補正発明と同様の電子部品実装装置であるから、その「制御手段Ｃ」も外部ということができる。
　引用発明の「制御手段Ｃ」と「シフトトリガカウンタプリセッタ４２」とは、具体的にどのようにして接続されているかは明らかでないが、「制御手段Ｃ」から「シフトトリガカウンタプリセッタ４２」に、「主走査方向可変設定値」が送られてセットされるのであるから、その接続が単なる配線であるとしても、引用発明には「制御手段Ｃ」から送られてくる「主走査方向可変設定値」を受信する機能、及び「主走査方向可変設定値」を「シフトトリガカウンタプリセッタ４２」にセットする書き込む機能があるということができる。
　引用発明の「遮光板５０で遮ぐべき感光素子数をコントロールし、主走査方向可変設定値に基づいた転送指令信号により有効な視野を決定すること」と、本願補正発明の「複数の前記画素が接続され前記記憶部に格納された一つの取込範囲に関する情報を参照することにより、接続された各画素のうち前記取込範囲に対応する画素からのみ画像信号を出力させる画素選択部」とは、画像の取込範囲に関する情報を参照することにより、撮像素子による画像の取込範囲の画像信号を得る機能の点では共通する。
　したがって、本願補正発明と引用発明とを対比すると次の点で一致する。
　
「複数の画素を備えた撮像素子で撮像する画像読取装置であって、
　前記撮像素子による画像の取込範囲に関する情報を外部から受信する通信部と、
　前記取込範囲に関する情報を記憶する記憶部と、
　前記通信部で受信した前記取込範囲に関する情報を前記記憶部に書き込む書込み手段と、
　画像の取込範囲に関する情報を参照することにより、撮像素子による画像の取込範囲の画像信号を得る手段と、
を備えたことを特徴とする画像読取装置。」
　
　また次の点で相違する。
　
　相違点１
　本願補正発明は「前記画素から出力された画像信号を外部へ出力する画像出力部」を備え、撮像素子で撮像した画像を画像信号として外部へ出力する画像読取装置であるのに対して、引用発明は「読み取った画像信号を処理して処理結果を制御手段Ｃへ出力する画像処理部４８」を備えるものであり、画像信号を外部へ出力することについての特定がない点。
　
　相違点２
　本願補正発明の「記憶部」は取込範囲に関する情報を複数記憶するものであり、「外部からの切換信号を受信して前記画素選択部が参照する取込範囲に関する情報を前記記憶部に記憶された他の取込範囲に関する情報に切換える切換手段」を備えるのに対して、引用発明のものは複数記憶すること及び「切換手段」についての特定がない点。
　
　相違点３
　本願補正発明の、画像の取込範囲に関する情報を参照することにより、撮像素子による画像の取込範囲の画像信号を得る手段は、「複数の前記画素が接続され前記記憶部に格納された一つの取込範囲に関する情報を参照することにより、接続された各画素のうち前記取込範囲に対応する画素からのみ画像信号を出力させる画素選択部」であるのに対して、引用発明のものは「遮光板５０で遮ぐべき感光素子数をコントロールし、主走査方向可変設定値に基づいた転送指令信号により有効な視野を決定する」ものである点。
　
２−４．相違点に対する判断
　相違点１について
　引用発明の「画像処理部４８」の処理内容は、その実施例では上記（３）のように、電子部品１５の有無検出、位置ずれ量検出など、任意に選択することができるものであり、本願補正発明の実施の形態においても、
「　　【００５１】
　認識処理部２３は、画像記憶部２２に記憶された画像信号に基づいて生成される画像から、移載ヘッド８に保持された複数の電子部品の位置を認識する。」
と記載されていように、ほぼ同様の機能を外部の全体制御装置２０内の認識処理部２３で実現している。
　読み取った画像信号を処理して処理結果を外部へ出力するか、読み取った画像信号を外部へ出力して、外部で画像信号を処理するかは、画像信号の処理をどこで行うかといった設計事項といえる程度のことであるから、引用発明においても「画像処理部４８」の処理結果を外部の制御手段Ｃへ出力するかわりに、読み取った画像信号を処理することなく外部へ出力して、本願補正発明のようにすることに困難な点はない。
　
　相違点２について
　引用例に記載された引用発明の実施例は、前述のように電子部品実装装置であり、例えば前記（４）の記載のように「大サイズ電子部品ＰＬ、中サイズ電子部品ＰＭ、小サイズ電子部品ＰＳを順に基板１１に実装するもの」であり、「各電子部品ＰＬ，ＰＭ，ＰＳのサイズよりも主走査方向にやや長い主走査方向設定値（長さＷＬ，ＷＭ，ＷＳを感光素子数で表示した値）」がセットされることになる。
　複数の「主走査方向設定値」をセットするのであるから、それらを１つずつ記憶部である「シフトトリガカウンタプリセッタ４２」にセットするかわりに、予め複数の「主走査方向設定値」をセットしておき、それらを切り換えて用いることは当業者が容易になしえる程度のことである。
　また、外部からセットされるのであるから、切り換えのための信号を外部から受信することにも格別の点はない。
　したがって、引用発明において記憶部である「シフトトリガカウンタプリセッタ４２」を撮像素子による画像の取込範囲に関する情報といえる「主走査方向設定値」を複数セットできるようにし、外部からの切換信号を受信して、それらを切り換える切換手段を設けることで、本願補正発明のようにすることに困難な点はない。
　
　相違点３について
　撮像素子の各画素のうち選択された画素からのみ画像信号を読み出し可能なＣＭＯＳ型のセンサは、本願の明細書に、
「　　【０００３】
　近年このようなラインセンサとして、任意画素からの画像信号の読み出しが可能な、ＣＭＯＳ型のセンサが用いられるようになっている。」
と記載されているように周知のものであり、例えば下記の例がある。
　
　　　　　　　　　　　　　　　　記
　
　周知例１．特開平７−４６４８３号公報
　周知例２．特開平１０−２６２１８７号公報
　
　したがって、引用発明において、遮光板５０で遮ぐべき感光素子数をコントロールし、主走査方向可変設定値に基づいた転送指令信号により有効な視野を決定するかわりに、ＣＭＯＳ型のセンサを用い、「主走査方向設定値」を参照することにより取込範囲に対応する画素からのみ画像信号を出力させる画素選択部を設けることで、本願補正発明のようにすることに困難な点はない。
　
　以上のとおり、引用発明において各相違点を本願補正発明のようにすることに困難な点はないから、本願補正発明は引用発明に基づいて、当業者が容易に発明をすることができたものであり、特許法第２９条第２項の規定により特許出願の際独立して特許を受けることができない。
　
２−５．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明について
　平成１９年５月２５日付けの手続補正は上記のとおり却下されたので、本願の請求項１に係る発明（以下、「本願発明」という。）は、出願当初の明細書の特許請求の範囲の請求項１に記載された事項により特定される、以下のとおりのものである。
　
「複数の画素を備えた撮像素子で撮像した画像を画像信号として外部へ出力する画像読取装置であって、前記撮像素子による画像の取込範囲に関する情報を外部から受信する通信部と、前記取込範囲に関する情報を複数記憶する記憶部と、前記通信部で受信した前記取込範囲に関する情報を前記記憶部に書き込む書込み手段と、前記記憶部に格納された一つの取込範囲に関する情報を参照して画像信号を出力する画素を選択してこの選択した画素からのみ画像信号を出力させる画素選択部と、前記画素から出力された画像信号を外部へ出力する画像出力部と、外部からの切換信号を受信して前記画素選択部が参照する取込範囲に関する情報を前記記憶部に記憶された他の取込範囲に関する情報に切換える切換手段を備えたことを特徴とする画像読取装置。」
　
　原査定の拒絶の理由に引用された引用例の記載事項は、前記のとおりである。
　そして、本願発明は発明を特定する事項である「画素選択部」について、本願補正発明が「複数の前記画素が接続され前記記憶部に格納された一つの取込範囲に関する情報を参照することにより、接続された各画素のうち前記取込範囲に対応する画素からのみ画像信号を出力させる画素選択部」であるのに対して、「前記記憶部に格納された一つの取込範囲に関する情報を参照して画像信号を出力する画素を選択してこの選択した画素からのみ画像信号を出力させる画素選択部」とするものであるから、本願補正発明と同様、引用発明に基づき当業者が容易に発明をすることができたものである。
　
　以上のとおり、本願発明は、引用発明に基づいて、当業者が容易に発明をすることができたものであるから、特許法第２９条第２項の規定により特許を受けることができない。
　よって、結論のとおり審決する。